(57)【要約】  無線ノードは、同期に関する情報を含む信号の送信及び測定のうちの少なくとも一方の設定情報を受信する受信部と、前記設定情報に基づいて、前記信号の送信及び測定のうちの少なくとも一方のタイミングを制御する制御部と、を備える。
2020129228.tif 000002
【特許請求の範囲】
【請求項１】
同期に関する情報を含む信号の送信及び測定のうちの少なくとも一方のための設定情報を受信する受信部と、
前記設定情報に基づいて、前記信号の送信及び測定のうちの少なくとも一方のタイミングを制御する制御部と、
を備えた、無線ノード。
【請求項２】
前記設定情報は、前記信号の送信及び測定のうちの少なくとも一方のタイミングが互いに異なる複数のパターンにそれぞれ対応する識別情報を含む、
請求項１に記載の無線ノード。
【請求項３】
前記制御部は、特定の識別情報が指定された場合、当該指定された識別情報に対応するパターンに基づいて、前記信号の送信及び測定のうちの少なくとも一方のタイミングを制御する、
請求項２に記載の無線ノード。
【請求項４】
前記制御部は、特定の識別情報が指定されなかった場合、前記複数のパターンのうちの何れかのパターンを選択し、当該選択したパターンに基づいて、前記信号の送信及び測定のうちの少なくとも一方のタイミングを制御する、
請求項２又は３に記載の無線ノード。
【請求項５】
前記制御部は、複数の送信タイミングのうちの少なくとも１つにおいて前記信号の送信を行わないと判断する、或いは、複数の測定タイミングのうちの少なくとも１つにおいて前記信号の測定を行わないと判断する、
請求項１に記載の無線ノード。
【請求項６】
無線ノードは、
同期に関する情報を含む信号の送信及び測定のうちの少なくとも一方のための設定情報を受信し、
前記設定情報に基づいて、前記信号の送信及び測定のうちの少なくとも一方のタイミングを制御する、
無線通信方法。
【発明の詳細な説明】
【技術分野】
【０００１】
本開示は、無線ノード、及び、無線通信方法に関する。
【背景技術】
【０００２】
Universal Mobile Telecommunication System（ＵＭＴＳ）ネットワークにおいて、更なる高速データレート、低遅延などを目的としてロングタームエボリューション（Long Term Evolution（ＬＴＥ））が仕様化された。また、ＬＴＥからの更なる広帯域化および高速化を目的として、ＬＴＥの後継システムも検討されている。ＬＴＥの後継システムには、例えば、LTE-Advanced（ＬＴＥ−Ａ）、Future Radio Access（ＦＲＡ）、5th generation mobile communication system（５Ｇ）、5G plus（５Ｇ＋）、Radio Access Technology（Ｎｅｗ−ＲＡＴ）、New Radio（ＮＲ）などと呼ばれるシステムがある。【０００３】
将来の無線通信システム（例えば、５Ｇ）に関して、アクセスリンクとバックホールリンクを統合するIntegrated Access and Backhaul（ＩＡＢ）の技術について検討されている。ＩＡＢでは、ＩＡＢノードの様な無線ノードは、ユーザ端末（User Equipment（ＵＥ））と、無線のアクセスリンクを形成すると共に、他のＩＡＢノードおよび／または無線基地局と無線のバックホールリンクを形成する。
【先行技術文献】
【非特許文献】
【０００４】
【非特許文献１】3GPP TR 38.874 1.0.0,“3rd Generation Partnership Project; Technical Specification Group Radio Access Network; Study on Integrated Access and Backhaul; (Release 15),” December 2018
【非特許文献２】3GPP TSG RAN WG1 Meeting #95 R1-1813417 “Enhancements to support NR backhaul links,” Qualcomm Incorporated November 2018
【発明の概要】
【発明が解決しようとする課題】
【０００５】
しかしながら、無線ノード同士の発見に関する検討は不十分であり、さらなる検討が求められている。【０００６】
本開示の一態様は、無線ノード同士の発見を適切に行うことができる無線ノード及び無線通信方法を提供することを目的の１つとする。
【課題を解決するための手段】
【０００７】
本開示の一態様に係る無線ノードは、同期に関する情報を含む信号の送信及び測定のうちの少なくとも一方のための設定情報を受信する受信部と、前記設定情報に基づいて、前記信号の送信及び測定のうちの少なくとも一方のタイミングを制御する制御部と、を備える。
【発明の効果】
【０００８】
本開示によれば、無線ノード同士の発見を適切に行うことができる。
【図面の簡単な説明】
【０００９】
【図１】本開示の一態様に係る無線通信システムの構成例を示す図である。
【図２】本開示の一態様に係るＩＡＢノードの構成例を示す図である。
【図３】本開示の一態様に係るSynchronization Signal block(SSB) based RRM(Radio Resource Management) measurement timing configuration（ＳＭＴＣ）とSSB transmission timing configuration（ＳＴＴＣ）を説明するための図である。
【図４】本開示の一態様に係るＳＭＴＣの設定の一例を示す図である。
【図５】本開示の一態様に係るＳＴＴＣパターンの設定例を示す図である。
【図６Ａ】本開示の一態様に係る測定用の設定情報の第１例を示す図である。
【図６Ｂ】本開示の一態様に係るＳＭＴＣに関する設定情報の例を示す図である。
【図７Ａ】本開示の一態様に係る測定用の設定情報の第２例を示す図である。
【図７Ｂ】本開示の一態様に係るＳＭＴＣに関する設定情報の第２例を示す図である。
【図８】本開示の一態様に係るＳＭＴＣの識別情報に関するパラメータの例を示す図である。
【図９】本開示の一態様に係るＳＴＴＣのミューティングパターンの設定情報の例を示す図である。
【図１０】本開示の一態様に係るＳＴＴＣのミューティングパターンの一例を示す図である。
【図１１】本開示の一態様に係るＩＡＢノード及びユーザ端末のハードウェア構成の例を示す図である。
【発明を実施するための形態】
【００１０】
以下、本開示の一態様に係る実施の形態を、図面を参照して説明する。
【００１１】
＜無線通信システム＞
図１は、一実施の形態に係る無線通信システムの構成例を示す。
【００１２】
無線通信システム１は、無線ノードの一例である複数のＩＡＢノード１０Ａ〜１０Ｃと、ユーザ端末の一例であるＵＥ２０とを含む。以下、ＩＡＢノード１０Ａ〜１０Ｃを区別しないで説明する場合には、「ＩＡＢノード１０」のように参照符号のうち共通番号のみを使用することがある。
【００１３】
ＩＡＢノード１０Ａ〜１０Ｃは、それぞれ、無線通信によって、他のＩＡＢノード１０に接続される。図１では、ＩＡＢノード１０Ｂは、ＩＡＢノード１０Ａに接続している。ＩＡＢノード１０Ｃは、ＩＡＢノード１０Ｂに接続している。以下、ＩＡＢノード１０Ｂから見て上流の（つまりＩＡＢドナーに近づく方向の）ＩＡＢノード１０Ａを、親ＩＡＢノード１０Ａと呼び、ＩＡＢノード１０Ｂから見て下流の（つまりＩＡＢドナーから遠ざかる方向の）ＩＡＢノード１０Ｃを、子ＩＡＢノード１０Ｃと呼ぶ。
【００１４】
なお、「親ＩＡＢノード１０Ａ」という記載は、ＩＡＢノード１０Ｂに対する親ＩＡＢノードであることを示し、「子ＩＡＢノード１０Ｃ」は、ＩＡＢノード１０Ｂに対する子ＩＡＢノードであることを示す。別言すれば、ＩＡＢノード１０Ｂは、「親ＩＡＢノード１０Ａ」に対する子ＩＡＢノードに相当し、「子ＩＡＢノード１０Ｃ」に対する親ＩＡＢノードに相当する。
【００１５】
ＩＡＢノード１０Ａ〜１０Ｃは、それぞれ、無線通信可能なエリアであるセルを形成する。すなわち、ＩＡＢノード１０は、基地局としての機能を有する。セル内のＵＥ２０は、当該セルを形成するＩＡＢノード１０に無線接続できる。
【００１６】
また、ＩＡＢノード１０Ａは、ファイババックホール（Fiber Backhaul（ＢＨ））を通じてコアネットワーク（Core Network（ＣＮ））に接続してよい。この場合、ＩＡＢノード１０Ａは、ＩＡＢドナーと呼ばれてもよい。また、図１では、ＩＡＢノード１０の数が３個、ＵＥ２０の数が１個であるが、無線通信システム１に含まれるＩＡＢノード１０の数及びＵＥ２０の数は、幾つであってもよい。また、１つのＩＡＢノード１０に対する親ＩＡＢノードの数は２つ以上であってもよく、１つのＩＡＢノード１０に対する子ＩＡＢノードの数は、２つ以上であってもよい。
【００１７】
なお、図１に示すＬとその添え字は以下を示す。
・ＬP,DLは、ＩＡＢノード１０Ｂに対する親ＩＡＢノード１０ＡからのDownlink（ＤＬ；下りリンク）を示す。
・ＬP,ULは、ＩＡＢノード１０Ｂから親ＩＡＢノード１０ＡへのUplink（ＵＬ；上りリンク）を示す。
・ＬC,DLは、ＩＡＢノード１０Ｂから子ＩＡＢノード１０ＣへのＤＬを示す。
・ＬC,ULは、ＩＡＢノード１０Ｂに対する子ＩＡＢノード１０ＣからのＵＬを示す。
・ＬA,DLは、ＩＡＢノード１０ＢからＵＥ２０へのＤＬを示す。
・ＬA,ULは、ＩＡＢノード１０Ｂに対するＵＥ２０からのＵＬを示す。
【００１８】
＜ＩＡＢノード＞
図２は、ＩＡＢノード１０の構成例を示す。
【００１９】
図２に示すように、ＩＡＢドナー１０Ａは、制御部１００と、Control Unit（ＣＵ）１０１と、Distributed Unit（ＤＵ）１０３とを有する。ＩＡＢノード１０Ｂ、１０Ｃは、制御部１００と、Mobile-Termination（ＭＴ）１０２と、ＤＵ１０３とを有する。なお、ＣＵ１０１、ＭＴ１０２及びＤＵ１０３は、機能ブロックであってよい。以下、ＣＵ１０１の機能を表現する場合、ＣＵのように参照符号を付さずに表現する場合がある。また、ＭＴ１０２の機能を表現する場合、ＭＴのように参照符号を付さずに表現する場合があるまた、ＤＵ１０３の機能を表現する場合、ＤＵのように参照符号を付さずに表現する場合がある。また、ＤＵ１０３は、基地局又は張出局に相当する機能を有してよい。また、ＭＴ１０２の一例は、端末に相当する機能を有してよい。
【００２０】
ＩＡＢノード１０Ｂは、ＭＴ１０２によって、上流のＩＡＢノード（図２ではＩＡＢドナー１０Ａ）に接続する。すなわち、ＩＡＢノード１０ＢのＭＴ１０２は、親ＩＡＢノード１０Ａとの接続を処理する。
【００２１】
ＩＡＢノード１０Ｂは、ＤＵ１０３によって、ＵＥ２０及び下流のＩＡＢノード１０ＣのＭＴと接続する。すなわち、ＩＡＢノード１０ＢのＤＵ１０３は、ＵＥ２０及び子ＩＡＢノード１０Ｃとの接続を処理する。ＤＵ１０３によるＵＥ２０及び／又は子ＩＡＢノード１０Ｃとの接続は、例えば、Radio Resource Control（ＲＲＣ）チャネルの確立である。
【００２２】
制御部１００は、ＭＴ１０２（ＩＡＢドナー１０Ａの場合はＣＵ１０１）、及び、ＤＵ１０３を制御する。なお、後述するＩＡＢノード１０の動作は、当該制御部１００がＭＴ１０２（ＩＡＢドナーの場合はＣＵ１０１）、及び、ＤＵ１０３を制御することによって実現されてよい。また、制御部１００は、各種情報を記憶するための記憶部を備えてもよい。
【００２３】
親ＩＡＢノード１０Ａは、ＩＡＢノード１０ＢのＭＴ１０２の観点から、次の時間リソースを、当該親ＩＡＢノード１０Ａとのリンク（以下「親リンク」という）のために指示する。
・ＤＬ時間リソース（ＤＬのために使用される時間リソース）
・ＵＬ時間リソース（ＵＬのために使用される時間リソース）
・Ｆｌｅｘｉｂｌｅ（以下「ＦＬ」という）時間リソース（ＤＬ又はＵＬのために使用される時間リソース）
【００２４】
ＩＡＢノード１０Ｂは、ＩＡＢノード１０ＢのＤＵ１０３の観点から、ＩＡＢノード１０Ｂと子ＩＡＢノード１０Ｃとのリンク及び／又はＩＡＢノード１０ＢとＵＥ２０とのリンク（以下、これらのリンクを「子リンク」という）において、次のタイプの時間リソースを有する。なお、リソースの「タイプ」は、リソースの「用途」、「種類」、「種別」、「カテゴリ」又は「属性」といった他の用語に読み替えられてもよい。
・ＤＬ時間リソース
・ＵＬ時間リソース
・ＦＬ時間リソース
・Ｎｏｔ−ａｖａｉｌａｂｌｅ（以下「ＮＡ」という）時間リソース（ＤＵの子リンクの通信のためには使用されないリソース）
【００２５】
ＤＵの子リンクのＤＬ、ＵＬ及びＦＬ時間リソースは、それぞれ、次の２つの分類のうちの１つに属する。
・Ｈａｒｄ：これに対応する時間リソースは、常にＤＵの子リンクのために利用できる。
・Ｓｏｆｔ：これに対応する時間リソースのＤＵの子リンクのための利用可能性は、親ＩＡＢノード１０Ａによって、明示的及び／又は暗示的に制御される。
【００２６】
＜検討＞
３ＰＧＧでは、ＩＡＢノード同士の発見及び／又は測定にＳＳＢを使用するケースにおいて、ＵＥ向けのＳＳＢと直交（例えばＴＤＭ及び／又はＦＤＭにおいて直交）する別のＳＳＢを送信及び／又は測定することが検討されている。なお、３ＧＰＰは、Third Generation Partnership Projectの略である。また、ＴＤＭは、Time Division Multiplexingの略である。また、ＦＤＭは、Frequency Division Multiplexingの略である。
【００２７】
また、送信と受信を同時には行えない半二重通信の制約（half-duplex constraint）を考慮し、ＩＡＢノード同士に、互いに異なるミューティングパターン（muting pattern）を適用することが検討される。なお、ミューティングパターンは、例えば、ＳＳＢの測定タイミング及び／又は送信タイミングの設定に関するパターンである。つまり、ミューティングとは、ＳＳＢの測定及び／又は測定を行わないことであってよい。なお、ミューティングパターンの詳細については後述する。
【００２８】
無線バックホールリンクのＲＳＲＰ／ＲＳＲＱ  ＲＲＭの測定のために、ＩＡＢノードは、ＳＳＢベース及び／又はＣＳＩ−ＲＳベースの解決策をサポートしてよい。なお、ＲＳＲＰは、Reference Signal Received Powerの略である。ＲＳＲＰは、Reference Signal Received Qualityの略である。また、ＣＳＩ−ＲＳは、Channel State Information Reference Signalの略である。
【００２９】
ＩＡＢノードのＤＵがアクティブになった後（以下「ステージ２」という）のＩＡＢノード同士及びＩＡＢドナーの発見を目的とする、ＩＡＢノード同士の発見処理では、ＩＡＢノード及びマルチホップトポロジーにおける半二重通信の制約を考慮する必要がある。例えば、ＩＡＢノードは、ＳＳＢベースの解決策において、下記の（Ａ１）及び（Ａ２）をサポートしてよい。
【００３０】
（Ａ１）ＩＡＢノード同士は、アクセスＵＥ向けに使用されるＳＳＢのセットと同じものを再利用してよい。ここで、アクセスＵＥは、ＩＡＢノードにアクセスするＵＥである。この場合、ステージ２におけるＩＡＢノード同士のセルサーチ向けのＳＳＢは、Standalone（ＳＡ）周波数レイヤでは、現時点において確定した同期ラスタ（sync raster）上に配置される。一方、Non Standalone（ＮＳＡ）周波数レイヤでは、そのセルサーチ向けのＳＳＢは、アクセスＵＥ向けに設定されたＳＭＴＣ内にて送信される。ここで、同期ラスタは、ＵＥが初期アクセス時に探索する周波数であってよい。
【００３１】
（Ａ２）ＩＡＢノード同士は、アクセスＵＥ向けに使用されるＳＳＢと直交（例えばＴＤＭ及び／又はＦＤＭにおいて直交）するＳＳＢを使用してよい。この場合、ステージ２におけるＩＡＢノード同士のセルサーチ及び測定向けのＳＳＢは、ミューティングされることがあり、ＳＡ周波数レイヤでは、現時点において確定した同期ラスタ上にない。一方、ＮＳＡ周波数レイヤでは、その直交するＳＳＢは、アクセスＵＥ向けに設定されたＳＭＴＣとは異なるＳＭＴＣにて送信される。
【００３２】
なお、ステージ２においてＩＡＢノード同士のセルサーチを行う場合、ＩＡＢノードは、ＵＥのセルサーチ及び測定を対象とするＳＳＢ送信については、ミューティングされなくてよい。このことは、ＳＡ周波数レイヤでは、現時点において確定した同期ラスタにおいて送信されるＳＳＢは、初期アクセス向けに定義した周期に従うことを意味する。また、上記（Ａ２）の場合、このことは、ＩＡＢノード同士のステージ２のセルサーチ向けのＳＳＢは、ミューティングされることがあり、少なくとも、ＵＥのセルサーチ及び測定のために使用されるＳＳＢを伴うＴＤＭであることを暗示する。
【００３３】
また、非特許文献２は、ＩＡＢノード同士の発見及び／又は測定に関する設定の柔軟性を高めるために、以下を提案する。
・ＩＡＢノード発見向けのＳＭＴＣでは、アクセスＵＥ向けのＳＭＴＣの最大周期である１６０ｍｓよりも長い周期をサポートする。
・周波数当たりに設定可能なＳＭＴＣウィンドウの最大数を、２よりも増加させる。
・ＳＭＴＣ内でのＳＳＢ送信パターンとして、より柔軟なＳＳＢ送信パターンをサポートする。
・ＳＳＢ送信タイミング設定（ＳＴＴＣ）を設定可能とする。
【００３４】
図３に示すように、ＳＭＴＣ周期内には、ＳＳＢ測定用のＳＭＴＣタイミングと、ＳＳＢ送信用のＳＴＴＣタイミングとが含まれてよい。この場合、ＩＡＢノード１０は、ＳＭＴＣタイミングにおいて周辺のＩＡＢノードから送信されるＳＳＢを測定し、ＳＴＴＣタイミングにおいて周辺のＩＡＢノードに対してＳＳＢを送信してよい。
【００３５】
次に、図４を参照し、上述の一例として、３つのＩＡＢノード１０にそれぞれ設定されるＳＭＴＣについて説明する。
【００３６】
図４（ａ）に示すように、３つのＩＡＢノード１０には、それぞれ、ＵＥ向けのＳＭＴＣタイミング（図４では「ＵＥ−ＳＭＴＣ」）が設定されてよい。３つのＩＡＢノードは、ＵＥ−ＳＭＴＣにおいて、ＵＥ２０に向けてＳＳＢを送信する。また、３つのＩＡＢノード１０には、それぞれ、ＩＡＢノード向けのＳＭＴＣタイミング（図４では「ＩＡＢ−ＳＭＴＣ」）が設定されてよい。ここで、各ＩＡＢノード１０に設定されるＩＡＢ−ＳＭＴＣは、互いに直交する。また、ＩＡＢ−ＳＭＴＣは、ＵＥ−ＳＭＴＣに対して直交する。
【００３７】
図４（ｂ）、（ｃ）、（ｄ）は、それぞれ、ＩＡＢ−ＳＭＴＣ同士の直交の例を示す。
【００３８】
図４（ｂ）に示すように、ＩＡＢ−ＳＭＴＣ同士は、互いに異なるＳＳＢインデックスパターンであってよい。例えば、第１のＩＡＢ−ＳＭＴＣはＳＳＢインデックス＃１〜＃３、第２のＩＡＢ−ＳＭＴＣはＳＳＢインデックス＃４〜＃６、第３のＩＡＢ−ＳＭＴＣはＳＳＢインデックス＃７〜＃９であってよい。
【００３９】
また、図４（ｃ）及び（ｄ）に示すように、ＩＡＢ−ＳＭＴＣ同士は、互いに異なるウィンドウタイミングであってよい。また、ＩＡＢ−ＳＭＴＣ同士は、図４（ｃ）に示すように連続であってもよいし、図４（ｄ）に示すように非連続であってもよい。
【００４０】
また、上記の図４（ｂ）、（ｃ）及び（ｄ）に示すＩＡＢ−ＳＭＴＣのハッチングパターンの違いは、ＳＴＴＣパターンの違いを表す。例えば、第１のＩＡＢノードには、横縞の第１のＳＴＴＣパターンが設定され、第２のＩＡＢノードには、斜線の第２のＳＴＴＣパターンが設定され、第３のＩＡＢノードには、縦縞の第３のＳＴＴＣパターンが設定されたとする。この場合、横縞のＩＡＢ−ＳＭＴＣを、第１のＩＡＢノードはＳＴＴＣとして使用（つまりＳＳＢを送信）し、第２及び第３のＩＡＢノードはＳＭＴＣとして使用（つまりＳＳＢを測定）してよい。また、斜線のＩＡＢ−ＳＭＴＣを、第２のＩＡＢノードはＳＴＴＣとして使用（つまりＳＳＢを送信）し、第１及び第３のＩＡＢノードはＳＭＴＣとして使用（つまりＳＳＢを測定）してよい。また、縦縞のＩＡＢ−ＳＭＴＣを、第３のＩＡＢノードはＳＴＴＣとして使用（つまりＳＳＢを送信）し、第１及び第２のＩＡＢノードはＳＭＴＣとして使用（つまりＳＳＢを測定）してよい。
【００４１】
ところで、ＳＴＴＣとＳＭＴＣとが別々に設定される場合、ＩＡＢノードは、ＳＴＴＣとして設定されたタイミング又は周期にてＳＳＢを送信し、ＳＭＴＣとして設定されたタイミング又は周期にて周辺のＩＡＢノードからのＳＳＢを検出及び測定することが想定される。
【００４２】
この場合、共通のＳＴＴＣタイミングが設定されたＩＡＢノード同士は、半二重通信の制約により、互いにＩＡＢノードを検出及び測定できない。すなわち、共通のＳＴＴＣタイミングが設定されたＩＡＢノード同士は、共通のＳＴＴＣタイミングにおいてＳＳＢを送信するため、このタイミングにおいて相手のＳＳＢを受信できない。
【００４３】
これを回避する方法として、ＩＡＢノード同士に、互いに異なるＳＴＴＣを設定することが考えられる。例えば、図５に示すように、ＩＡＢノード同士に、互いに異なるＳＴＴＣ＃０〜＃８を設定する。ＩＡＢノード同士に、互いに異なるＳＴＴＣを設定するためには、以下が有用と考えられる。
・ＮＷ（Network）（例えばＩＡＢドナーのＣＵ）において、各ＩＡＢノードに設定されたＳＴＴＣを管理する。
・互いに直交する複数のＳＴＴＣパターンに対応する複数のＳＭＴＣパターンを用意する。例えば、「ＳＴＴＣパターン数−１」個のＳＭＴＣパターンを用意し、各ＩＡＢノード１０に設定する。
【００４４】
しかし、上記の回避方法は、例えば、新規ＩＡＢノードが追加される度に、或いは、別のＣＵ配下のＩＡＢノードのＳＴＴＣパターンが更新される度に、各ＩＡＢノードのＳＴＴＣ設定の見直し、或いは、変更が伴い得る。
【００４５】
そこで、以下では、新規ＩＡＢノードが追加されたり、既設ＩＡＢノードの設定が変更されたりした場合でも、周辺の他のＩＡＢノードが、自律的或いは簡易に、適切なＳＭＴＣ及び／又はＳＴＴＣを設定できる例として、例１、例２、例３を説明する。なお、例１、例２、例３は、互いに組み合わせて実施されてもよいし、互いに切り替えて実施されてもよい。
【００４６】
＜例１＞
ＩＡＢノード１０には、周波数当たり２つよりも多いＳＭＴＣを設定可能とする。例えば、リスト（List）形式にて複数のＳＳＢ−ＭＴＣ（つまりＳＭＴＣ）を設定可能とすることを目的に、図６Ａ及び図６Ｂに例示する測定用の設定情報「MeasObject」を一部改変する。
【００４７】
ここで、設定可能なＳＭＴＣの最大数（上限）は、仕様によって規定されてよい。或いは、設定可能なＳＭＴＣ数の最大数（上限）は、ＩＡＢノード１０から、能力情報（Capability）として報告されてもよい。
【００４８】
図７Ａ及び図７Ｂは、例１に係る測定用の設定情報の一例を示す図である。
【００４９】
図７Ａの太字によって示すように、測定用の設定情報「MeasObjectNR」は、解放するＳＳＢ−ＭＴＣの数を指定するためのパラメータ、及び、追加又は修正するＳＳＢ−ＭＴＣの数を指定するためのパラメータを有してよい。以降、解放するＳＳＢ−ＭＴＣの数を指定するためのパラメータを、便宜上「smtcToReleaseList」と呼称するが、特にこの名称に限られない。また、追加又は修正するＳＳＢ−ＭＴＣの数を指定するためのパラメータを、便宜上「smtcToAddModList」と呼称するが、特にこの名称に限られない。
【００５０】
また、図７Ｂの太字によって示すように、ＳＳＢ−ＭＴＣ用の設定情報「SSB-MTC」は、ＳＳＢ−ＭＴＣを識別するためのパラメータを有してよい。以降、当該パラメータを、便宜上「SSB-MTC-ID」と呼称するが、特にこの名称に限られない。また、設定情報「SSB-MTC」は、ＳＭＴＣの周期設定の選択肢として、３２０ｍｓ周期を指定するためのパラメータ「sf320」、及び／又は、６４０ｍｓ周期を指定するためのパラメータ「sf640」を有してもよい。
【００５１】
また、図７Ｂの太字によって示すように、上記のパラメータ「SSB-MTC-ID」は、０から（「maxNrofSSB-MTCs」−１）までの値であってよい。ここで、「maxNrofSSB-MTCs」は、設定可能なＳＳＢ−ＭＴＣの最大数である。ＩＡＢノード１０は、仕様に規定された所定の値（例えば「８」）に基づいて、「maxNrofSSB-MTCs」を決定してよい。或いは、ＩＡＢノード１０Ｂは、子ＩＡＢノード１０ＣのＭＴから能力情報（Capability）として報告された設定可能なＳＳＢ−ＭＴＣの数に基づいて、「maxNrofSSB-MTCs」を決定してもよい。なお、設定可能なＳＳＢ−ＭＴＣの最大数を示すパラメータを便宜上「maxNrofSSB-MTCs」と呼称するが、特にこの名称に限られない。
【００５２】
図７Ａ及び図７Ｂに示す設定情報によれば、ＩＡＢノードのＳＭＴＣに関する設定の柔軟性を効率的に高めることができる。例えば、図６Ｂのように、新たに「ＳＳＢ−ＭＴＣ３」を設けて、上記の新たなパラメータを定義することも考えられるが、図７Ａ及び図７Ｂに示す設定情報によれば、その場合と比較して、高い柔軟性をコンパクトに実現できる。
【００５３】
＜例２＞
ＩＡＢノード１０Ｂは、子ＩＡＢノード１０Ｃに対して、設定した複数のＳＭＴＣのうち、ＳＴＴＣとして使用する少なくとも１つのＳＭＴＣを、明示的（explicit）に指定してよい。なお、当該複数のＳＭＴＣは、上記の例１にて説明した設定情報によって設定されてよい。例えば、各ＳＳＢ−ＭＴＣにＩＤ（図７Ｂでは「SSB-MTC-ID」）を付与し、ＩＡＢノード１０Ｂは、ＳＴＴＣとして使用するＳＭＴＣを、SSB-MTC-IDを用いて指定してよい。なお、「SSB-MTC-ID」は「SMTC-ID」と表現されてもよい。図８は、SSB-MTC-IDを用いて、ＳＳＢ−ＴＴＣ（ＳＴＴＣ）を指定するためのパラメータの一例である。また、ＳＭＴＣはＩＡＢノード１０のＭＴ向け設定として、ＳＴＴＣはＩＡＢノード１０のＤＵ向け設定として通知されてもよい。すなわち、ＳＭＴＣの設定とＳＴＴＣの設定とは、異なる情報要素（Information Element）によって通知されてもよい。或いは、ＳＭＴＣを設定する設定情報「MeasObject」内において、ＳＴＴＣが指定されてもよい。
【００５４】
なお、子ＩＡＢノード１０Ｃは、ＳＴＴＣとして使用するＳＭＴＣのＳＭＴＣ−ＩＤが指定されない場合、設定された複数のＳＭＴＣ（ＳＳＢ−ＭＴＣ）のうちの何れかを、自律的に、ＳＴＴＣに選択してもよい。例えば、子ＩＡＢノード１０Ｃは、各ＳＭＴＣにて測定を行い、最も検出レベルの低いＳＭＴＣをＳＴＴＣに選択してもよい。これにより、子ＩＡＢノード１０Ｃは、周辺のＩＡＢノードではＳＴＴＣとして使用されていない可能性の高いＳＭＴＣを、ＳＴＴＣに選択できる。また、この場合、子ＩＡＢノード１０Ｃは、ＳＴＴＣに選択したＳＭＴＣ−ＩＤを、測定結果の報告（Measurement Report（ＭＲ））に含めてもよい。ここで、子ＩＡＢノード１０Ｃの近くに設置したはずのＩＡＢノード１０の測定結果が当該子ＩＡＢノード１０ＣからのＭＲに含まれていない場合、当該子ＩＡＢノード１０Ｃが自律的に選択したＳＴＴＣが、周辺のＩＡＢノード１０が選択しているＳＴＴＣと共通な可能性が高い。そこで、この場合、ＮＷ（Network）（又はＩＡＢドナー１０ＡのＣＵ）は、子ＩＡＢノード１０ＣからのＭＲに含まれているＳＴＴＣとは異なるＳＴＴＣを、子ＩＡＢノード１０Ｃに設定し直してよい。
【００５５】
或いは、子ＩＡＢノード１０ＣのＤＵは、ＳＴＴＣが指定されない場合、ＩＡＢノード同士の発見向けにＳＳＢを送信しないと認識してもよい。例えば、子ＩＡＢノードにしかなれない（或いは親ＩＡＢノードにはなれない）ＩＡＢノード１０は、ＳＴＴＣが指示されない場合、ＩＡＢノード同士の発見向けにＳＳＢを送信しないと認識してもよい。なお、「認識」は、「想定」、「決定」又は「判断」といった他の用語に読み替えられてもよい。また、「指定」は、「指示」、「通知」又は「設定」といった他の用語に読み替えられてもよい。
【００５６】
子ＩＡＢノード１０Ｃは、ＳＴＴＣが指定されない場合、上述した自律的にＳＴＴＣを選択すると認識する処理と、ＩＡＢノード同士の発見向けにＳＳＢを送信しないと認識する処理とを、当該子ＩＡＢノード１０Ｃが親ＩＡＢノードになれる能力（Capability）を有しているか否かに基づいて、切り替えてもよい。
【００５７】
ＩＡＢノード１０は、ＳＴＴＣとして、ＵＥ向けのＳＴＴＣ（以下「ＵＥ−ＳＴＴＣ」という）と、ＩＡＢノード同士の発見向けのＳＴＴＣ（以下「ＩＡＢ−ＳＴＴＣ」という）とを別々に有してもよい。そして、これらのＳＴＴＣのうち、少なくともＩＡＢ−ＳＴＴＣでは、設定されたＳＭＴＣのうちの何れかがＳＴＴＣとして使用されてよい。ＳＴＴＣは、上記例２−１のように、ＳＭＴＣ−ＩＤによって指定されてもよい。或いは、ＳＴＴＣは、ＳＭＴＣ−ＩＤを使用せずに、当該ＳＴＴＣの設定するためのＳＳＢ送信タイミング設定によって指定されてもよい。
【００５８】
また、ＵＥ−ＳＴＴＣ、及び、ＩＡＢ−ＳＴＴＣは、それぞれ、設定されたＳＭＴＣから指定されてよい。この場合、ＵＥ−ＳＴＴＣ及びＩＡＢ−ＳＴＴＣのそれぞれに対して、ＳＳＢ送信周波数を設定可能であってよい。すなわち、ＵＥ−ＳＴＴＣとＩＡＢ−ＳＴＴＣとでは、ＳＳＢ送信の周波数位置が互いに異なってもよい。
【００５９】
また、ＩＡＢ−ＳＴＴＣは、設定されたＳＭＴＣから指定され、ＵＥ−ＳＴＴＣは、別途設定されてもよい。この場合、ＵＥ−ＳＴＴＣ及びＩＡＢ−ＳＴＴＣのそれぞれに対して、ＳＳＢ送信周波数を設定可能であってよい。すなわち、ＵＥ−ＳＴＴＣとＩＡＢ−ＳＴＴＣとでは、ＳＳＢ送信の周波数位置が互いに異なってもよい。
【００６０】
＜例３＞
ＩＡＢノード１０には、ＳＴＴＣ用のミューティングパターン（muting pattern）を設定可能とする。すなわち、ＩＡＢノード１０は、非周期的なＳＴＴＣをサポートしてよい。例えば、ＩＡＢノード１０には、ＳＴＴＣパターンとして設定した一部のタイミング、周期又は期間においてＳＳＢの送信を止め、同じＳＴＴＣパターンを適用する周辺のＩＡＢノードを測定可能としてよい。
【００６１】
或いは、ＩＡＢノード１０には、ＳＭＴＣ用のミューティングパターンを設定可能とする。すなわち、ＩＡＢノード１０は、非周期的なＳＭＴＣをサポートしてよい。例えば、ＩＡＢノード１０は、ＳＭＴＣパターンとして設定した一部のタイミング、周期又は期間においてＳＳＢの測定を止め、共通のＳＭＴＣパターンを適用する周辺のＩＡＢノードへのＳＳＢ送信を可能としてよい。
【００６２】
次に、上述の例である、例３−１、例３−２について説明する。
【００６３】
＜＜例３−１＞＞
上述したＳＴＴＣをミューティングする周期及びオフセットは、例えば、図９に示す設定情報によって設定されてよい。以降、ＳＴＴＣをミューティングする周期及びオフセットのための設定情報を、便宜上「PeriodicityAndOffsetSTTCMuting」と呼称するが、特にこの名称に限られない。
【００６４】
図９の太字によって示すように、設定情報「PeriodicityAndOffsetSTTCMuting」は、ＳＴＴＣのミューティングパターンを選択するためのパラメータを有してよい。例えば、図９において、パラメータ「sttc2」は、２回のＳＴＴＣのうちのミューティングされるＳＴＴＣを設定するためのパラメータである。また、パラメータ「sttc4」は、４回のＳＴＴＣのうちのミューティングされるＳＴＴＣを設定するためのパラメータである。例えば、パラメータ「sttc4」が「２」の場合、図１０に示すように、４回のＳＴＴＣのうち３回目のＳＴＴＣがミューティングされる。
【００６５】
なお、上述したＳＭＴＣをミューティングする周期及びオフセットの設定情報も、図９と同様であってよい。
【００６６】
＜＜例３−２＞＞
セルＩＤ（例えばmod（CellID,N））に応じたＳＴＴＣのミューティングパターンを、仕様にて規定してよい。或いは、セルＩＤに応じたＳＭＴＣのミューティングパターンを、仕様にて規定してよい。
【００６７】
セルＩＤに応じたＳＴＴＣ（又はＳＭＴＣ）のミューティングパターンが既知であれば、測定を行うＩＡＢノード１０は、周辺の各ＩＡＢノードに設定されたミューティングパターンを認識できる。よって、測定を行うＩＡＢノード１０は、測定における合成受信及び／又は平均化等の処理を、決定論的（deterministic）或いは確定的に行える。
【００６８】
上述の例３によれば、ＳＴＴＣ（又はＳＭＴＣ）のミューティングによって直交性を担保できるので、直交するＳＭＴＣパターン数の増大を抑制できる。
【００６９】
＜変形例＞
次に、上述の変形例を説明する。
【００７０】
ＳＴＴＣに選択されたＳＭＴＣでの測定は行われなくてもよい。或いは、ＳＴＴＣに選択されたＳＭＴＣでの測定が行われる場合は、他のＳＭＴＣでの測定よりも緩い性能規定（例えば測定精度）が適用されてもよい。
【００７１】
ＳＴＴＣに選択されたＳＭＴＣにおいて測定を行うか否かについては、暗示的（implicit）又は明示的（explicit）に指示されてよい。
【００７２】
次に暗示的な指示の例を示す。ＩＡＢノード１０は、ＳＴＴＣ（或いはＳＭＴＣ）用のミューティングパターンが設定された場合、ＳＴＴＣに選択されたＳＭＴＣにおいて測定を行ってよいと、認識してよい。また、ＩＡＢノード１０は、ＳＴＴＣ（或いはＳＭＴＣ）用のミューティングパターンが設定されなかった場合、ＳＴＴＣに選択されたＳＭＴＣにおいては測定を行わなくてもよいと認識してよい。
【００７３】
次に明示的な指示の例を示す。ＩＡＢノード１０は、ミューティングパターンとは別の情報要素によって、測定を行うか否かが指示されてもよい。また、上述の例３−２のように、ミューティングパターンが明示的に指定されないケースにおいては、この明示的な指示が行われてよい。
【００７４】
ＳＴＴＣとして選択されたＳＭＴＣにおいて測定を行うか否かについては、ＩＡＢノードの実装次第であってもよい。例えば、半二重通信の制約を有しないＩＡＢノードは、ＳＴＴＣとして選択されたＳＭＴＣにおいて測定を行い、半二重通信の制約を有するＩＡＢノードは、ＳＴＴＣとして選択されたＳＭＴＣにおいて測定を行ってもよい。
【００７５】
ＩＡＢノードのＤＵがＳＳＢを送信するために、ＳＳＢ送信タイミング設定（configuration）を、ＤＵ向けに設定してもよい。例えば、アクセスＵＥ向けのＳＳＢ送信タイミング設定（例えばＳＴＴＣ１又はＵＥ−ＳＴＴＣ）と、周辺のＩＡＢノード向けのＳＳＢ送信タイミング設定（例えばＳＴＴＣ２又はＩＡＢ−ＳＴＴＣ）との少なくとも一方を、ＤＵ向けに設定してもよい。各ＳＴＴＣには、少なくとも以下の何れか１つが含まれてよい。
・ＳＳＢ送信の周期とタイミングオフセット
・ＳＳＢ送信周波数
・ＳＳＢ送信インデックスのビットマップ
【００７６】
なお、ＳＳＢ送信の周期として、ＵＥ向けＳＴＴＣには、ＳＭＴＣ周期の候補値と同様に、５，１０，２０，４０，８０，１６０ｍｓの何れかの値を設定可能であり、ＩＡＢ向けＳＴＴＣには、１６０ｍｓよりも長い値も設定可能であってよい。また、ＳＳＢ送信のタイミングオフセットとしては、ＳＭＴＣと同様の１ｍｓの粒度、或いは、５ｍｓの粒度でオフセット値を設定可能であってよい。
【００７７】
また、ＩＡＢノードのＭＴがＳＳＢを測定するために、ＳＳＢ測定タイミング設定（configuration）を、ＭＴ向けに設定してもよい。例えば、周辺のＩＡＢノードそれぞれのＳＳＢ送信タイミングに対応したＳＳＢ測定タイミング設定（例えばＳＭＴＣ１、ＳＴＭＣ２、ＳＭＴＣ３、…）を、ＭＴ向けに設定してもよい。
【００７８】
また、アクセスＵＥ向けのＳＳＢ送信タイミング設定（ＳＴＴＣ１又はＵＥ−ＳＴＴＣ）と、周辺のＩＡＢノード向けのＳＳＢ送信タイミング設定（ＳＴＴＣ２又はＩＡＢ−ＳＴＴＣ）とは、タイミング又は周期等の他に、ＳＳＢ送信周波数が互いに異なってもよい。
【００７９】
また、ＳＴＴＣでは送信ＳＳＢインデックスを指定せずに、ＩＡＢノードのＤＵが送信ＳＳＢインデックスを決定してもよい。また、ＩＡＢノード１０ＢのＤＵは能力情報（capability）として送信ＳＳＢ数を親ＩＡＢノード１０Ａに報告し、親ＩＡＢノード１０Ａは、ＩＡＢノード１０Ｂに対して、ＳＴＴＣによって送信ＳＳＢインデックスを指定してもよい。
【００８０】
また、上記の設定情報及びパラメータの名称は一例である。すなわち、本開示の設定情報及びパラメータの名称は、上述とは異なる名称であってもよい。
【００８１】
＜本開示のまとめ＞
本開示に係る無線ノード（ＩＡＢノード）は、ＳＳＢの送信及び／又は測定のための設定情報を受信する受信部と、設定情報に基づいて、複数のＳＭＴＣの少なくとも１つをＳＴＴＣとして使用する制御を行う制御部と、を備える。
【００８２】
また、設定情報には、各ＳＭＴＣを識別するためのＳＭＴＣ−ＩＤが含まれてよい。また、このＳＭＴＣ−ＩＤを用いて、ＳＴＴＣとして使用されるＳＭＴＣが指定されてもよい。
【００８３】
上記の構成によれば、無線ノード同士の発見を適切に行うことができる。また、各無線ノードが適切なＳＭＴＣ及び／又はＳＴＴＣを自律的に設定できる。
【００８４】
以上、本開示について説明した。
【００８５】
＜ハードウェア構成等＞
なお、上記実施形態の説明に用いたブロック図は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。
【００８６】
機能には、判断、決定、判定、計算、算出、処理、導出、調査、探索、確認、受信、送信、出力、アクセス、解決、選択、選定、確立、比較、想定、期待、見做し、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。たとえば、送信を機能させる機能ブロック（構成部）は、送信部（transmitting unit）や送信機（transmitter）と呼称される。いずれも、上述したとおり、実現方法は特に限定されない。
【００８７】
例えば、本開示の一実施の形態における基地局、ユーザ端末などは、本開示の無線通信方法の処理を行うコンピュータとして機能してもよい。図１１は、本開示の一実施の形態に係るＩＡＢノード及びユーザ端末のハードウェア構成の一例を示す図である。上述のＩＡＢノード１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【００８８】
なお、以下の説明では、「装置」という文言は、回路、デバイス、ユニットなどに読み替えることができる。ＩＡＢノード１０及びユーザ端末２０のハードウェア構成は、図に示した各装置を１つ又は複数含むように構成されてもよいし、一部の装置を含まずに構成されてもよい。
【００８９】
ＩＡＢノード１０及びユーザ端末２０における各機能は、プロセッサ１００１、メモリ１００２などのハードウェア上に所定のソフトウェア（プログラム）を読み込ませることによって、プロセッサ１００１が演算を行い、通信装置１００４による通信を制御したり、メモリ１００２及びストレージ１００３におけるデータの読み出し及び書き込みの少なくとも一方を制御したりすることによって実現される。
【００９０】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述の制御部１００などは、プロセッサ１００１によって実現されてもよい。
【００９１】
また、プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、上述の実施の形態において説明した動作の少なくとも一部をコンピュータに実行させるプログラムが用いられる。例えば、ＩＡＢノード１０の制御部１００は、メモリ１００２に格納され、プロセッサ１００１において動作する制御プログラムによって実現されてもよく、他の機能ブロックについても同様に実現されてもよい。上述の各種処理は、１つのプロセッサ１００１によって実行される旨を説明してきたが、２以上のプロセッサ１００１により同時又は逐次に実行されてもよい。プロセッサ１００１は、１以上のチップによって実装されてもよい。なお、プログラムは、電気通信回線を介してネットワークから送信されても良い。
【００９２】
メモリ１００２は、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（Electrically  Erasable  Programmable  ＲＯＭ）、ＲＡＭ（Random  Access  Memory）などの少なくとも１つによって構成されてもよい。メモリ１００２は、レジスタ、キャッシュ、メインメモリ（主記憶装置）などと呼ばれてもよい。メモリ１００２は、本開示の一実施の形態に係る無線通信方法を実施するために実行可能なプログラム（プログラムコード）、ソフトウェアモジュールなどを保存することができる。
【００９３】
ストレージ１００３は、コンピュータ読み取り可能な記録媒体であり、例えば、ＣＤ−ＲＯＭ（Compact  Disc  ＲＯＭ）などの光ディスク、ハードディスクドライブ、フレキシブルディスク、光磁気ディスク（例えば、コンパクトディスク、デジタル多用途ディスク、Ｂｌｕ−ｒａｙ（登録商標）ディスク）、スマートカード、フラッシュメモリ（例えば、カード、スティック、キードライブ）、フロッピー（登録商標）ディスク、磁気ストリップなどの少なくとも１つによって構成されてもよい。ストレージ１００３は、補助記憶装置と呼ばれてもよい。上述の記憶媒体は、例えば、メモリ１００２及びストレージ１００３の少なくとも一方を含むデータベース、サーバその他の適切な媒体であってもよい。
【００９４】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び時分割複信（ＴＤＤ：Time  Division  Duplex）の少なくとも一方を実現するために、高周波スイッチ、デュプレクサ、フィルタ、周波数シンセサイザなどを含んで構成されてもよい。例えば、基地局及び端末のアンテナなどは、通信装置１００４によって実現されてもよい。送受信部は、送信部と受信部とで、物理的に、または論理的に分離された実装がなされてもよい。
【００９５】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤランプなど）である。なお、入力装置１００５及び出力装置１００６は、一体となった構成（例えば、タッチパネル）であってもよい。
【００９６】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【００９７】
また、ＩＡＢノード１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つを用いて実装されてもよい。
【００９８】
＜情報の通知、シグナリング＞
情報の通知は、本開示において説明した態様／実施形態に限られず、他の方法を用いて行われてもよい。例えば、情報の通知は、物理レイヤシグナリング（例えば、ＤＣＩ（Downlink  Control  Information）、ＵＣＩ（Uplink  Control  Information））、上位レイヤシグナリング（例えば、ＲＲＣ（Radio  Resource  Control）シグナリング、ＭＡＣ（Medium  Access  Control）シグナリング、報知情報（ＭＩＢ（Master  Information  Block）、ＳＩＢ（System  Information  Block）））、その他の信号又はこれらの組み合わせによって実施されてもよい。また、ＲＲＣシグナリングは、ＲＲＣメッセージと呼ばれてもよく、例えば、ＲＲＣ接続セットアップ（RRC  Connection  Setup）メッセージ、ＲＲＣ接続再構成（RRC  Connection  Reconfiguration）メッセージなどであってもよい。
【００９９】
＜適用システム＞
本開示において説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、ＮＲ（new  Radio）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切なシステムを利用するシステム及びこれらに基づいて拡張された次世代システムの少なくとも一つに適用されてもよい。また、複数のシステムが組み合わされて（例えば、ＬＴＥ及びＬＴＥ−Ａの少なくとも一方と５Ｇとの組み合わせ等）適用されてもよい。
【０１００】
＜処理手順等＞
本開示において説明した各態様／実施形態の処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【０１０１】
＜基地局の動作＞
本開示において基地局によって行われるとした特定動作は、場合によってはその上位ノード（upper  node）によって行われることもある。基地局を有する１つ又は複数のネットワークノード（network  nodes）からなるネットワークにおいて、端末との通信のために行われる様々な動作は、基地局及び基地局以外の他のネットワークノード（例えば、ＭＭＥ又はＳ−ＧＷなどが考えられるが、これらに限られない）の少なくとも１つによって行われ得ることは明らかである。上記において基地局以外の他のネットワークノードが１つである場合を例示したが、複数の他のネットワークノードの組み合わせ（例えば、ＭＭＥ及びＳ−ＧＷ）であってもよい。
【０１０２】
＜入出力の方向＞
情報等（※「情報、信号」の項目参照）は、上位レイヤ（又は下位レイヤ）から下位レイヤ（又は上位レイヤ）へ出力され得る。複数のネットワークノードを介して入出力されてもよい。
【０１０３】
＜入出力された情報等の扱い＞
入出力された情報等は特定の場所（例えば、メモリ）に保存されてもよいし、管理テーブルを用いて管理してもよい。入出力される情報等は、上書き、更新、又は追記され得る。出力された情報等は削除されてもよい。入力された情報等は他の装置へ送信されてもよい。
【０１０４】
＜判定方法＞
判定は、１ビットで表される値（０か１か）によって行われてもよいし、真偽値（Boolean：true又はfalse）によって行われてもよいし、数値の比較（例えば、所定の値との比較）によって行われてもよい。
【０１０５】
＜態様のバリエーション等＞
本開示において説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【０１０６】
以上、本開示について詳細に説明したが、当業者にとっては、本開示が本開示中に説明した実施形態に限定されるものではないということは明らかである。本開示は、請求の範囲の記載により定まる本開示の趣旨及び範囲を逸脱することなく修正及び変更態様として実施することができる。したがって、本開示の記載は、例示説明を目的とするものであり、本開示に対して何ら制限的な意味を有するものではない。
【０１０７】
＜ソフトウェア＞
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０１０８】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【０１０９】
＜情報、信号＞
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１１０】
なお、本開示において説明した用語及び本開示の理解に必要な用語については、同一の又は類似する意味を有する用語と置き換えてもよい。例えば、チャネル及びシンボルの少なくとも一方は信号（シグナリング）であってもよい。また、信号はメッセージであってもよい。また、コンポーネントキャリア（ＣＣ：Component  Carrier）は、キャリア周波数、セル、周波数キャリアなどと呼ばれてもよい。
【０１１１】
＜「システム」、「ネットワーク」＞
本開示において使用する「システム」及び「ネットワーク」という用語は、互換的に使用される。
【０１１２】
＜パラメータ、チャネルの名称＞
また、本開示において説明した情報、パラメータなどは、絶対値を用いて表されてもよいし、所定の値からの相対値を用いて表されてもよいし、対応する別の情報を用いて表されてもよい。例えば、無線リソースはインデックスによって指示されるものであってもよい。
【０１１３】
上述したパラメータに使用する名称はいかなる点においても限定的な名称ではない。さらに、これらのパラメータを使用する数式等は、本開示で明示的に開示したものと異なる場合もある。様々なチャネル（例えば、ＰＵＣＣＨ、ＰＤＣＣＨなど）及び情報要素は、あらゆる好適な名称によって識別できるので、これらの様々なチャネル及び情報要素に割り当てている様々な名称は、いかなる点においても限定的な名称ではない。
【０１１４】
＜基地局＞
本開示においては、「基地局（ＢＳ：Base  Station）」、「無線基地局」、「固定局（fixed  station）」、「ＮｏｄｅＢ」、「ｅＮｏｄｅＢ（ｅＮＢ）」、「ｇＮｏｄｅＢ（ｇＮＢ）」、「アクセスポイント（access  point）」、「送信ポイント（transmission  point）」、「受信ポイント（reception  point）、「送受信ポイント（transmission/reception  point）」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【０１１５】
基地局は、１つ又は複数（例えば、３つ）のセルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Ｒｅｍｏｔｅ  Ｒａｄｉｏ  Ｈｅａｄ）によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【０１１６】
＜移動局＞
本開示においては、「移動局（ＭＳ：Mobile  Station）」、「ユーザ端末（user  terminal）」、「ユーザ装置（ＵＥ：User  Equipment）」、「端末」などの用語は、互換的に使用され得る。
【０１１７】
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、又はいくつかの他の適切な用語で呼ばれる場合もある。
【０１１８】
＜基地局／移動局＞
基地局及び移動局の少なくとも一方は、送信装置、受信装置、通信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。例えば、基地局及び移動局の少なくとも一方は、センサなどのＩｏＴ（Internet  of  Things）機器であってもよい。
【０１１９】
また、本開示における基地局は、ユーザ端末で読み替えてもよい。例えば、基地局及びユーザ端末間の通信を、複数のユーザ端末間の通信（例えば、Ｄ２Ｄ（Device-to-Device）、Ｖ２Ｘ（Vehicle-to-Everything）などと呼ばれてもよい）に置き換えた構成について、本開示の各態様／実施形態を適用してもよい。この場合、上述の基地局１０が有する機能をユーザ端末２０が有する構成としてもよい。また、「上り」及び「下り」などの文言は、端末間通信に対応する文言（例えば、「サイド（side）」）で読み替えられてもよい。例えば、上りチャネル、下りチャネルなどは、サイドチャネルで読み替えられてもよい。
【０１２０】
同様に、本開示におけるユーザ端末は、基地局で読み替えてもよい。この場合、上述のユーザ端末２０が有する機能を基地局１０が有する構成としてもよい。
【０１２１】
＜用語の意味、解釈＞
本開示で使用する「判断（determining）」、「決定（determining）」という用語は、多種多様な動作を包含する場合がある。「判断」、「決定」は、例えば、判定（judging）、計算（calculating）、算出（computing）、処理（processing）、導出（deriving）、調査（investigating）、探索（looking  up、search、inquiry）（例えば、テーブル、データベース又は別のデータ構造での探索）、確認（ascertaining）した事を「判断」「決定」したとみなす事などを含み得る。また、「判断」、「決定」は、受信（receiving）（例えば、情報を受信すること）、送信（transmitting）（例えば、情報を送信すること）、入力（input）、出力（output）、アクセス（accessing）（例えば、メモリ中のデータにアクセスすること）した事を「判断」「決定」したとみなす事などを含み得る。また、「判断」、「決定」は、解決（resolving）、選択（selecting）、選定（choosing）、確立（establishing）、比較（comparing）などした事を「判断」「決定」したとみなす事を含み得る。つまり、「判断」「決定」は、何らかの動作を「判断」「決定」したとみなす事を含み得る。また、「判断（決定）」は、「想定する（assuming）」、「期待する（expecting）」、「みなす（considering）」などで読み替えられてもよい。
【０１２２】
「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。例えば、「接続」は「アクセス」で読み替えられてもよい。本開示で使用する場合、２つの要素は、１又はそれ以上の電線、ケーブル及びプリント電気接続の少なくとも一つを用いて、並びにいくつかの非限定的かつ非包括的な例として、無線周波数領域、マイクロ波領域及び光（可視及び不可視の両方）領域の波長を有する電磁エネルギーなどを用いて、互いに「接続」又は「結合」されると考えることができる。
【０１２３】
＜参照信号＞
参照信号は、ＲＳ（Reference  Signal）と略称することもでき、適用される標準によってパイロット（Pilot）と呼ばれてもよい。
【０１２４】
＜「に基づいて」の意味＞
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１２５】
＜「第１の」、「第２の」＞
本開示において使用する「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素への参照は、２つの要素のみが採用され得ること、又は何らかの形で第１の要素が第２の要素に先行しなければならないことを意味しない。
【０１２６】
＜「手段」＞
上記の各装置の構成における「手段」を、「部」、「回路」、「デバイス」等に置き換えてもよい。
【０１２７】
＜オープン形式＞
本開示において、「含む（include）」、「含んでいる（including）」及びそれらの変形が使用されている場合、これらの用語は、用語「備える（comprising）」と同様に、包括的であることが意図される。さらに、本開示において使用されている用語「又は（or）」は、排他的論理和ではないことが意図される。
【０１２８】
＜ＴＴＩ等の時間単位、ＲＢなどの周波数単位、無線フレーム構成＞
無線フレームは時間領域において１つ又は複数のフレームによって構成されてもよい。時間領域において１つ又は複数の各フレームはサブフレームと呼ばれてもよい。
【０１２９】
サブフレームは更に時間領域において１つ又は複数のスロットによって構成されてもよい。サブフレームは、ニューメロロジー（numerology）に依存しない固定の時間長（例えば、１ｍｓ）であってもよい。
【０１３０】
ニューメロロジーは、ある信号又はチャネルの送信及び受信の少なくとも一方に適用される通信パラメータであってもよい。ニューメロロジーは、例えば、サブキャリア間隔（ＳＣＳ：SubCarrier  Spacing）、帯域幅、シンボル長、サイクリックプレフィックス長、送信時間間隔（ＴＴＩ：Transmission  Time  Interval）、ＴＴＩあたりのシンボル数、無線フレーム構成、送受信機が周波数領域において行う特定のフィルタリング処理、送受信機が時間領域において行う特定のウィンドウイング処理などの少なくとも１つを示してもよい。
【０１３１】
スロットは、時間領域において１つ又は複数のシンボル（ＯＦＤＭ（Orthogonal  Frequency  Division  Multiplexing）シンボル、ＳＣ-ＦＤＭＡ（Single  Carrier  Frequency  Division  Multiple  Access）シンボル等）で構成されてもよい。スロットは、ニューメロロジーに基づく時間単位であってもよい。
【０１３２】
スロットは、複数のミニスロットを含んでもよい。各ミニスロットは、時間領域において１つ又は複数のシンボルによって構成されてもよい。また、ミニスロットは、サブスロットと呼ばれてもよい。ミニスロットは、スロットよりも少ない数のシンボルによって構成されてもよい。ミニスロットより大きい時間単位で送信されるＰＤＳＣＨ（又はＰＵＳＣＨ）は、ＰＤＳＣＨ（又はＰＵＳＣＨ）マッピングタイプＡと呼ばれてもよい。ミニスロットを用いて送信されるＰＤＳＣＨ（又はＰＵＳＣＨ）は、ＰＤＳＣＨ（又はＰＵＳＣＨ）マッピングタイプＢと呼ばれてもよい。
【０１３３】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。
【０１３４】
例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及びＴＴＩの少なくとも一方は、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０１３５】
ここで、ＴＴＩは、例えば、無線通信におけるスケジューリングの最小時間単位のことをいう。例えば、ＬＴＥシステムでは、基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０１３６】
ＴＴＩは、チャネル符号化されたデータパケット（トランスポートブロック）、コードブロック、コードワードなどの送信時間単位であってもよいし、スケジューリング、リンクアダプテーションなどの処理単位となってもよい。なお、ＴＴＩが与えられたとき、実際にトランスポートブロック、コードブロック、コードワードなどがマッピングされる時間区間（例えば、シンボル数）は、当該ＴＴＩよりも短くてもよい。
【０１３７】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０１３８】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、ロングサブフレーム、スロットなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、サブスロット、スロットなどと呼ばれてもよい。
【０１３９】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０１４０】
リソースブロック（ＲＢ）は、時間領域及び周波数領域のリソース割当単位であり、周波数領域において、１つ又は複数個の連続した副搬送波（subcarrier）を含んでもよい。ＲＢに含まれるサブキャリアの数は、ニューメロロジーに関わらず同じであってもよく、例えば１２であってもよい。ＲＢに含まれるサブキャリアの数は、ニューメロロジーに基づいて決定されてもよい。
【０１４１】
また、ＲＢの時間領域は、１つ又は複数個のシンボルを含んでもよく、１スロット、１ミニスロット、１サブフレーム、又は１ＴＴＩの長さであってもよい。１ＴＴＩ、１サブフレームなどは、それぞれ１つ又は複数のリソースブロックで構成されてもよい。
【０１４２】
なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０１４３】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０１４４】
帯域幅部分（ＢＷＰ：Bandwidth  Part）（部分帯域幅などと呼ばれてもよい）は、あるキャリアにおいて、あるニューメロロジー用の連続する共通ＲＢ（common  resource  blocks）のサブセットのことを表してもよい。ここで、共通ＲＢは、当該キャリアの共通参照ポイントを基準としたＲＢのインデックスによって特定されてもよい。ＰＲＢは、あるＢＷＰで定義され、当該ＢＷＰ内で番号付けされてもよい。
ＢＷＰには、ＵＬ用のＢＷＰ（ＵＬ  ＢＷＰ）と、ＤＬ用のＢＷＰ（ＤＬ  ＢＷＰ）とが含まれてもよい。ＵＥに対して、１キャリア内に１つ又は複数のＢＷＰが設定されてもよい。
【０１４５】
設定されたＢＷＰの少なくとも１つがアクティブであってもよく、ＵＥは、アクティブなＢＷＰの外で所定の信号／チャネルを送受信することを想定しなくてもよい。なお、本開示における「セル」、「キャリア」などは、「ＢＷＰ」で読み替えられてもよい。
【０１４６】
上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０１４７】
＜最大送信電力＞
本開示に記載の「最大送信電力」は、送信電力の最大値を意味してもよいし、公称最大送信電力（the  nominal  UE  maximum  transmit  power）を意味してもよいし、定格最大送信電力（the  rated  UE  maximum  transmit  power）を意味してもよい。
【０１４８】
＜冠詞＞
本開示において、例えば、英語でのa、an及びtheのように、翻訳により冠詞が追加された場合、本開示は、これらの冠詞の後に続く名詞が複数形であることを含んでもよい。
【０１４９】
＜「異なる」＞
本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【産業上の利用可能性】
【０１５０】
本開示の一態様は、無線通信システムに有用である。
【符号の説明】
【０１５１】
１０、１０Ａ、１０Ｂ、１０Ｃ  ＩＡＢノード
２０  ユーザ端末
１００  制御部
１０１  ＣＵ（Control Unit）
１０２  ＭＴ（Mobile-Termination）
１０３  ＤＵ（Distributed Unit）
【図１】
2020129228.tif 000003
【図２】
2020129228.tif 000004
【図３】
2020129228.tif 000005
【図４】
2020129228.tif 000006
【図５】
2020129228.tif 000007
【図６Ａ】
2020129228.tif 000008
【図６Ｂ】
2020129228.tif 000009
【図７Ａ】
2020129228.tif 000010
【図７Ｂ】
2020129228.tif 000011
【図８】
2020129228.tif 000012
【図９】
2020129228.tif 000013
【図１０】
2020129228.tif 000014
【図１１】
2020129228.tif 000015
【手続補正書】
【提出日】令和3年6月11日(2021.6.11)
【手続補正１】
【補正対象書類名】特許請求の範囲
【補正対象項目名】全文
【補正方法】変更
【補正の内容】
【特許請求の範囲】
【請求項１】
ＲＲＣシグナリングにより、複数の測定タイミング設定情報のリストを受信する受信部と、
前記複数の測定タイミング設定情報の中の、無線ノードに対応する測定タイミング設定情報に基づいて同期信号の測定タイミングを設定し、前記測定タイミングに基づいて前記同期信号を測定して他の無線ノードを発見する制御部と、
を具備する無線ノード。
【請求項２】
前記無線ノードに対応する測定タイミング設定情報は、他の無線ノードとは異なるウィンドウタイミングの設定を含む、
請求項１に記載の無線ノード。
【請求項３】
前記無線ノードに対応する測定タイミング設定情報は、他の無線ノードとは異なるインデックスパターンの設定を含む、
請求項１に記載の無線ノード。
【請求項４】
前記リストによって設定される測定タイミング設定情報の最大数は、予め決められている、
請求項１に記載の無線ノード。
【請求項５】
無線ノードが、
ＲＲＣシグナリングにより、複数の測定タイミング設定情報のリストを受信し、
前記無線ノードに対応する測定タイミング設定情報に基づいて同期信号の測定タイミングを設定し、
前記測定タイミングに基づいて前記同期信号を測定して他の無線ノードを発見する、
無線通信方法。
【請求項６】
前記無線ノードに対応する測定タイミング設定情報により、他の無線ノードとは異なるウィンドウタイミングが設定される、
請求項５に記載の無線通信方法。
【請求項７】
前記無線ノードに対応する測定タイミング設定情報は、他の無線ノードとは異なるインデックスパターンの設定を含む、
請求項５に記載の無線通信方法。
【請求項８】
前記リストによって設定される測定タイミング設定情報の最大数は、予め決められている、
請求項５に記載の無線通信方法。
【国際調査報告】
2020129228.tif 000016
2020129228.tif 000017
2020129228.tif 000018
2020129228.tif 000019